(57)【要約】【課題】視聴者が知りたいと思ったアイテムに関する情報を提示することを可能とする出力制御装置を提供する。【解決手段】出力制御装置１１０は、アイテム情報取得部１２１と、行動取得部１２２と、アイテム決定部１２３と、出力制御部１２４とを備える。アイテム情報取得部１２１は、ユーザーが有する情報端末２０から当該情報端末に記憶されたユーザーが有するアイテムに関するアイテム情報を取得する。行動取得部１２２は、アイテムに対する関心に係る他者の行動についての情報を取得する。アイテム決定部１２３は、他者の行動に基づいて、他者が関心を有するアイテムを関心アイテムとして決定する。出力制御部１２４は、関心アイテムに基づいて出力装置１５０に情報を提示させる。【選択図】図２
2018049409.tif 000002
【特許請求の範囲】
【請求項１】
ユーザーが有する情報端末から当該情報端末に記憶された前記ユーザーが有するアイテムに関するアイテム情報を取得するアイテム情報取得部と、
前記アイテムに対する関心に係る他者の行動についての情報を取得する行動取得部と、
前記他者の前記行動に基づいて、前記他者が関心を有する前記アイテムを関心アイテムとして決定するアイテム決定部と、
前記関心アイテムに基づいて出力装置に情報を提示させる出力制御部と
を備える出力制御装置。
【請求項２】
前記アイテム情報取得部は、所定の範囲内にある前記情報端末から、前記アイテム情報を取得する、請求項１に記載の出力制御装置。
【請求項３】
前記アイテム情報取得部は、前記アイテム情報を取得した前記情報端末のうち、前記所定の範囲から外れた前記情報端末を対象外情報端末として特定し、
前記出力制御部は、前記対象外情報端末から取得した前記アイテム情報を前記出力装置に提示させない、
請求項２に記載の出力制御装置。
【請求項４】
前記出力制御部は、前記出力装置に前記アイテム情報を一覧表示させる、請求項１乃至３のうち何れか１項に記載の出力制御装置。
【請求項５】
前記行動取得部は、前記他者が関心を有する少なくとも１つの前記アイテムを特定する前記他者の前記行動として、前記他者の視線を取得する、請求項１乃至４のうち何れか１項に記載の出力制御装置。
【請求項６】
前記行動取得部は、前記ユーザーに対する関心に係る前記他者の行動についての情報を取得し、
前記アイテム決定部は、前記ユーザーを注目ユーザーとして特定し、前記注目ユーザーの前記情報端末から取得した複数の前記アイテムを前記関心アイテムとし、
前記出力制御部は、複数の前記アイテムに係る前記アイテム情報に基づいて前記出力装置に情報を提示させる、
請求項１乃至５のうち何れか１項に記載の出力制御装置。
【請求項７】
前記アイテム情報取得部は、前記出力装置と前記情報端末との位置関係に関する位置情報を取得し、
前記出力制御部は、前記出力装置に、前記位置情報に応じた態様で前記アイテム情報に基づく情報を前記出力装置に提示させる、
請求項１乃至６のうち何れか１項に記載の出力制御装置。
【請求項８】
前記関心アイテムが決定されたとき、当該関心アイテムに関する前記アイテム情報が記録された前記情報端末に、前記関心アイテムが決定された旨を送信する通信制御部をさらに備える請求項１乃至７のうち何れか１項に記載の出力制御装置。
【請求項９】
請求項１乃至８のうち何れか１項に記載の出力制御装置と、
前記出力装置と、
前記他者の前記行動を取得する行動取得装置と
を備える情報提示装置。
【請求項１０】
ユーザーが有するアイテムに関するアイテム情報を入力するための入力部と、
前記アイテム情報が記録される記憶部と、
他者の行動に基づいて前記アイテムに対する関心を特定して当該アイテムに関する情報を提示する情報提示装置からの要求に応じて前記アイテム情報を前記情報提示装置に送信する通信部と
を備える情報端末。
【請求項１１】
情報端末と記憶装置と情報提示装置とを備える情報提示システムであって、
前記情報端末は、ユーザーが有するアイテムに関するアイテム情報を入力するための入力部を備え、
前記記憶装置は、前記アイテム情報を保持し、
前記情報提示装置は、
情報を提示する出力部と、
他者の行動を取得する行動取得部と、
前記記憶装置から前記アイテム情報を取得するアイテム情報取得部と、
前記アイテムに対する関心に係る前記他者の行動についての情報を前記行動取得部から取得する行動取得部と、
前記他者の前記行動に基づいて、前記他者が関心を有する前記アイテムを関心アイテムとして決定するアイテム決定部と、
前記関心アイテムに基づいて前記出力部に情報を提示させる出力制御部と
を備える、
情報提示システム。
【請求項１２】
ユーザーが有する情報端末から前記情報端末に記憶された前記ユーザーが有するアイテムに関するアイテム情報を取得する工程と、
前記アイテムに対する関心に係る他者の行動についての情報を取得する工程と、
前記他者の前記行動に基づいて、前記他者が関心を有する前記アイテムを関心アイテムとして決定する工程と、
前記関心アイテムに基づいて出力装置に情報を提示させる工程と、
を含む出力制御方法。
【請求項１３】
ユーザーが有する情報端末から前記情報端末に記憶された前記ユーザーが有するアイテムに関するアイテム情報を取得することと、
前記アイテムに対する関心に係る他者の行動についての情報を取得することと、
前記他者の前記行動に基づいて、前記他者が関心を有する前記アイテムを関心アイテムとして決定することと、
前記関心アイテムに基づいて出力装置に情報を提示させることと
をコンピュータに実行させる出力制御プログラム。
【請求項１４】
入力部を用いてユーザーが有するアイテムに関するアイテム情報の入力を取得することと、
記憶部に前記アイテム情報を記録することと、
通信部を用いて、他者の行動に基づいて前記アイテムに対する関心を特定して当該アイテムに関する情報を提示する情報提示装置からの要求に応じて前記アイテム情報を前記情報提示装置に送信することと
を含む情報端末の制御方法。
【請求項１５】
入力部を用いてユーザーが有するアイテムに関するアイテム情報の入力を取得することと、
記憶部に前記アイテム情報を記録することと、
通信部を用いて、他者の行動に基づいて前記アイテムに対する関心を特定して当該アイテムに関する情報を提示する情報提示装置からの要求に応じて前記アイテム情報を前記情報提示装置に送信することと
をコンピュータに実行させる情報端末の制御プログラム。
【発明の詳細な説明】
【技術分野】
【０００１】
本発明は、出力制御装置、情報提示装置、情報端末、情報提示システム、出力制御方法、出力制御プログラム、情報端末の制御方法及び情報端末の制御プログラムに関する。
【背景技術】
【０００２】
表示装置に種々の広告が表示される広告配信システムが知られている。このような広告配信システムでは、より広告効率のよい態様で広告が表示されることが望まれている。例えば特許文献１には、近傍にある携帯端末から購入履歴を受信し、当該購入履歴から広告として表示すべき商品の情報を抽出し、携帯端末が次に接近する表示装置に抽出された商品の情報を表示する広告配信システムが開示されている。
【０００３】
表示装置に表示される内容は、広告に限らなくてもよい。視聴者が知りたいと思った情報がそのときに表示装置に表示されることは有効である。
【先行技術文献】
【特許文献】
【０００４】
【特許文献１】特開２００９−２１０８８７号公報
【発明の概要】
【発明が解決しようとする課題】
【０００５】
ある人が、周囲の人の有するアイテムに興味を持ち、当該アイテムについて知りたいと思うことがある。
【０００６】
本発明は、視聴者が知りたいと思ったアイテムに関する情報を提示することを可能とする出力制御装置、情報提示装置、情報端末、情報提示システム、出力制御方法、出力制御プログラム、情報端末の制御方法及び情報端末の制御プログラムを提供することを目的とする。
【課題を解決するための手段】
【０００７】
本発明の一態様によれば、出力制御装置は、ユーザーが有する情報端末から当該情報端末に記憶された前記ユーザーが有するアイテムに関するアイテム情報を取得するアイテム情報取得部と、前記アイテムに対する関心に係る他者の行動についての情報を取得する行動取得部と、前記他者の前記行動に基づいて、前記他者が関心を有する前記アイテムを関心アイテムとして決定するアイテム決定部と、前記関心アイテムに基づいて出力装置に情報を提示させる出力制御部とを備える。
【０００８】
本発明の一態様によれば、情報提示装置は、上述の出力制御装置と、前記出力装置と、前記他者の前記行動を取得する行動取得装置とを備える。
【０００９】
本発明の一態様によれば、情報端末は、ユーザーが有するアイテムに関するアイテム情報を入力するための入力部と、前記アイテム情報が記録される記憶部と、他者の行動に基づいて前記アイテムに対する関心を特定して当該アイテムに関する情報を提示する情報提示装置からの要求に応じて前記アイテム情報を前記情報提示装置に送信する通信部とを備える。
【００１０】
本発明の一態様によれば、情報提示システムは、情報端末と記憶装置と情報提示装置とを備える情報提示システムであって、前記情報端末は、ユーザーが有するアイテムに関するアイテム情報を入力するための入力部を備え、前記記憶装置は、前記アイテム情報を保持し、前記情報提示装置は、情報を提示する出力部と、他者の行動を取得する行動取得部と、前記記憶装置から前記アイテム情報を取得するアイテム情報取得部と、前記アイテムに対する関心に係る前記他者の行動についての情報を前記行動取得部から取得する行動取得部と、前記他者の前記行動に基づいて、前記他者が関心を有する前記アイテムを関心アイテムとして決定するアイテム決定部と、前記関心アイテムに基づいて前記出力部に情報を提示させる出力制御部とを備える。
【００１１】
本発明の一態様によれば、出力制御方法は、ユーザーが有する情報端末から前記情報端末に記憶された前記ユーザーが有するアイテムに関するアイテム情報を取得する工程と、前記アイテムに対する関心に係る他者の行動についての情報を取得する工程と、前記他者の前記行動に基づいて、前記他者が関心を有する前記アイテムを関心アイテムとして決定する工程と、前記関心アイテムに基づいて出力装置に情報を提示させる工程とを含む。
【００１２】
本発明の一態様によれば、出力制御プログラムは、ユーザーが有する情報端末から前記情報端末に記憶された前記ユーザーが有するアイテムに関するアイテム情報を取得することと、前記アイテムに対する関心に係る他者の行動についての情報を取得することと、前記他者の前記行動に基づいて、前記他者が関心を有する前記アイテムを関心アイテムとして決定することと、前記関心アイテムに基づいて出力装置に情報を提示させることとをコンピュータに実行させる。
【００１３】
本発明の一態様によれば、情報端末の制御方法は、入力部を用いてユーザーが有するアイテムに関するアイテム情報の入力を取得することと、記憶部に前記アイテム情報を記録することと、通信部を用いて、他者の行動に基づいて前記アイテムに対する関心を特定して当該アイテムに関する情報を提示する情報提示装置からの要求に応じて前記アイテム情報を前記情報提示装置に送信することとを含む。
【００１４】
本発明の一態様によれば、情報端末の制御プログラムは、入力部を用いてユーザーが有するアイテムに関するアイテム情報の入力を取得することと、記憶部に前記アイテム情報を記録することと、通信部を用いて、他者の行動に基づいて前記アイテムに対する関心を特定して当該アイテムに関する情報を提示する情報提示装置からの要求に応じて前記アイテム情報を前記情報提示装置に送信することとをコンピュータに実行させる。
【発明の効果】
【００１５】
本発明によれば、視聴者が知りたいと思ったアイテムに関する情報を提示することを可能とする出力制御装置、情報提示装置、情報端末、情報提示システム、出力制御方法、出力制御プログラム、情報端末の制御方法及び情報端末の制御プログラムを提供できる。
【図面の簡単な説明】
【００１６】
【図１】図１は、一実施形態に係る情報提示システムが用いられている場面の一例を示す図である。
【図２】図２は、一実施形態に係る情報提示システムの構成例の概略を示すブロック図である。
【図３】図３は、情報端末における処理の一例を示すフローチャートである。
【図４】図４は、情報端末に表示される表示画面の一例を示す図である。
【図５】図５は、制御装置における処理の一例を示すフローチャートである。
【発明を実施するための形態】
【００１７】
［システムの概要］
本発明の一実施形態について図面を参照して説明する。本実施形態に係る情報提示システムには、登録者及び視聴者（他者）と称することにする２種類のユーザーがいる。情報提示システムは、登録者に、登録者が有している物（アイテム）の情報を例えばスマートフォンとそのアプリケーションソフトウェア（アプリ）を用いて管理することができる環境を提供する。一方、視聴者には、情報提示システムは、視聴者が登録者が登録したアイテムに関心を示したときに、ディスプレイ等を用いて当該アイテムに関する情報を提示する。
【００１８】
図１は、本実施形態に係る情報提示システム１が用いられている場面の一例を示す図である。図１に示す例は、情報提示システム１がゴルフの練習場に構築された場合である。この例では、情報提示システム１のユーザーである登録者８１０は、ゴルフのショットを練習している者である。この例では、登録者８１０は、自身が用いるゴルフクラブ８１２に関する情報を、例えばスマートフォンといった情報端末２０で管理する。情報提示システム１のもう一方のユーザーである視聴者８２０は、登録者８１０の練習を見学している者であり、登録者８１０が使用しているゴルフクラブ８１２に関心を有している者である。なお、図１に示す例では、登録者８１０と視聴者８２０とがそれぞれ１人である場合を示しているが、複数の登録者８１０と複数の視聴者８２０とがいてもよい。
【００１９】
情報提示システム１は、登録者８１０が所有している情報端末２０と、視聴者８２０に情報を提示する情報提示装置１０とを備える。この例では、情報提示装置１０は、ゴルフの練習場に設置されている。
【００２０】
情報端末２０は、例えばスマートフォン、タブレット端末、ゲーム機、パーソナルコンピュータ等といった携帯型の電子機器である。情報端末２０は、アイテム管理アプリを実行する。図１に示すゴルフ練習場の例では、登録者８１０は、アイテム管理アプリを使って、例えば自身が使用するゴルフクラブを情報端末２０に登録し、ゴルフクラブについての記録を情報端末２０で管理する。登録者８１０は、例えば複数のゴルフクラブの各々についての、使用日（練習日）、打数、飛距離、備考等を記録することができる。
【００２１】
情報提示装置１０は、視聴者８２０が欲している情報を視聴者８２０の行動に基づいて特定し、登録者８１０が情報端末２０に登録した情報を利用して視聴者８２０に欲している情報を提示する。情報提示装置１０は、例えば視聴者８２０の視線に基づいて関心対象のアイテムを特定し、例えば当該アイテムに関する写真、メーカー、型番、性能等の情報をディスプレイ１５１に表示する。
【００２２】
［システムの構成］
情報提示システム１の構成例について、図１及び図２を参照して説明する。図２は、情報提示システム１の構成例の概略を示すブロック図である。上述のとおり、情報提示システム１は、情報提示装置１０と情報端末２０とを含む。
【００２３】
情報提示装置１０は、制御装置１１０と、出力装置１５０と、行動取得装置１６０とを備える。制御装置１１０は、情報提示装置１０の各部の動作を制御する。
【００２４】
出力装置１５０は、一例としてはいわゆるデジタルサイネージといったものである。出力装置１５０は、ディスプレイ１５１とスピーカー１５２とを有する。ディスプレイ１５１は、例えば液晶ディスプレイ又は投影装置等の表示装置を含み、画像を表示する。スピーカー１５２は、音声を出力する。出力装置１５０は、有線又は無線で制御装置１１０と接続している。出力装置１５０は、制御装置１１０の制御下で動作し、視聴者８２０に情報を提示する。
【００２５】
行動取得装置１６０は、カメラ１６１と、行動判断回路１６２とを有する。行動取得装置１６０は、マイク等を有していてもよい。カメラ１６１は、可視光カメラでもよいし、赤外線カメラ等でもよい。行動取得装置１６０は、視聴者８２０の興味関心に係る視聴者８２０の行動を取得する。例えば、行動取得装置１６０のカメラ１６１は、例えば視聴者８２０の視線を捉える。ここで視線とは、３次元空間における視聴者８２０の目の位置を通る直線であり、目が見ている方向である。行動判断回路１６２は、カメラ１６１が捉えた視聴者８２０の視線を特定する。情報提示装置１０の周辺に複数の人が存在するとき、行動取得装置１６０はこれら複数の人の視線を取得する。視線が登録者８１０を貫いている人物は、登録者８１０が身に着けていたり使用していたりするアイテムに関心を示している視聴者８２０であると考えられる。行動取得装置１６０は、有線又は無線で制御装置１１０と接続している。行動取得装置１６０は、特定した視聴者８２０の視線に関する情報を制御装置１１０へと送信する。
【００２６】
制御装置１１０は、演算回路１１２と、記憶装置１４２と、入力装置１４４と、通信装置１４６とを備える。演算回路１１２は、制御装置１１０の動作に係る各種演算を行う。演算回路１１２は、例えば、Central Processing Unit（ＣＰＵ）、Application Specific Integrated Circuit（ＡＳＩＣ）、又はField Programmable Gate Array（ＦＰＧＡ）等の集積回路を含む。演算回路１１２は、１つの集積回路等で構成されてもよいし、複数の集積回路等が組み合わされて構成されてもよい。演算回路１１２による演算は、例えば記憶装置１４２又は演算回路１１２内の記録領域に記録されたプログラムに従って行われる。
【００２７】
記憶装置１４２は、演算回路１１２で行われる演算に必要な各種プログラム及び各種データを保持する。記憶装置１４２は、例えばハードディスク、半導体メモリ等を含む。
【００２８】
入力装置１４４は、ユーザーが制御装置１１０に指令を入力するための装置である。入力装置１４４は、例えばボタンスイッチ、キーボード又はタッチパネル等を含む。
【００２９】
通信装置１４６は、制御装置１１０の周辺の機器との通信を行うための装置である。通信装置１４６は、例えば、出力装置１５０及び行動取得装置１６０と通信する。この通信は、上述のとおり有線であっても無線であってもよい。また、通信装置１４６は、情報端末２０と通信を行う。この通信は無線通信であることが好ましい。この通信には、例えばＷｉ−Ｆｉ（登録商標）、Ｂｌｕｅｔｏｏｔｈ（登録商標）等の通信規格が用いられ得る。
【００３０】
演算回路１１２は、アイテム情報取得部１２１、行動取得部１２２、アイテム決定部１２３、出力制御部１２４、通信制御部１２５等としての機能を有する。アイテム情報取得部１２１は、登録者８１０が有する情報端末２０に記録された登録者が有するアイテムに関するアイテム情報を、情報端末２０から取得する。行動取得部１２２は、登録者８１０が有するアイテムに対する関心に係る視聴者８２０の行動についての情報を取得する。例えば行動取得部１２２は、行動取得装置１６０から視聴者８２０の視線に関する情報を取得する。アイテム決定部１２３は、視聴者８２０の行動に基づいて、視聴者８２０が関心を有するアイテムを関心アイテムとして決定する。例えばアイテム決定部１２３は、視聴者８２０の視線が貫く登録者８１０とその部位に基づいて、視聴者８２０が関心を有しているアイテムを関心アイテムとして決定する。出力制御部１２４は、関心アイテムに関するアイテム情報に基づいて出力装置１５０に情報を提示させる。通信制御部１２５は、情報端末２０、出力装置１５０及び行動取得装置１６０との通信の制御を行う。
【００３１】
情報端末２０は、ＣＰＵ等を含む演算回路２１と、各種プログラム及びデータを保持する記憶装置２２と、液晶ディスプレイ等を含む表示装置２３と、タッチパネル等を含む入力装置２４と、制御装置１１０等と通信を行うための通信装置２５とを備える。上述のアイテム管理アプリは、記憶装置２２に記憶されており、演算回路２１を用いて実行される。
【００３２】
［システムの動作の概要］
本実施形態に係る情報提示システム１の動作の概要を説明する。特に、情報提示システム１において、視聴者８２０が関心を持ったアイテムが特定される方法について説明する。本実施形態では、登録者８１０が情報端末２０とアイテムとの両方を身に着けたり保持したりしているものとする。情報端末２０は登録者８１０の体に密着していなくてもよいが、少なくとも登録者８１０の近傍に存在するものとする。
【００３３】
情報提示装置１０の制御装置１１０は、情報端末２０から情報端末２０に登録された登録者８１０のアイテムに関する情報を取得する。また、制御装置１１０は、情報端末２０の位置を取得する。アイテムは情報端末２０と共に登録者８１０の近傍にあるので、制御装置１１０は、情報端末２０の位置に基づいて、情報を取得したアイテムの位置を特定することができる。制御装置１１０は、アイテムの位置を特定するにあたって、行動取得装置１６０で得られた画像を用いてもよい。
【００３４】
制御装置１１０は、行動取得装置１６０を利用して視聴者８２０の視線の情報を取得する。制御装置１１０は、視聴者８２０の視線とアイテムの位置との位置関係を解析し、視線が貫いているアイテムを、視聴者８２０が関心を持っているアイテムとして特定することができる。視聴者８２０の視線を用いることで、視聴者８２０が特別に意識的な行動を行わなくても、制御装置１１０は視聴者８２０の関心を取得することができる。制御装置１１０は、当該アイテムについて出力装置１５０に出力すべき情報を別途取得し、当該情報を出力装置１５０に提示させる。
【００３５】
［情報端末の動作］
図３は、情報端末２０で行われる処理のうち、本実施形態に係るアイテム管理アプリによって行われるアイテム管理機能に係る処理の一例を示すフローチャートである。情報端末２０のアイテム管理機能に係る動作について図３に示すフローチャートを参照して説明する。
【００３６】
ステップＳ１０１において、情報端末２０は、本実施形態に係るアイテム管理機能の使用が選択されているか否かを判定する。アイテム管理機能の使用が選択されていないとき、処理はステップＳ１０２に進む。ステップＳ１０２において、情報端末２０は、アイテム管理機能以外のその他の機能を実行する。例えば情報端末２０がスマートフォンであるとき、その他の機能としては、例えば通話機能、電子メール機能、ウェブブラウジング機能等が挙げられる。ステップＳ１０２の処理の後、処理はステップＳ１０１に戻る。
【００３７】
ステップＳ１０１において、アイテム管理機能が選択されていると判定されたとき、処理はステップＳ１０３に進む。ステップＳ１０３において、情報端末２０は、アイテム管理画面を表示する。
【００３８】
情報端末２０の表示装置２３に表示される表示画面４００の一例を図４に示す。図４に示すように、表示画面４００が含む「ゴルフ」という表示４１１は、ゴルフに関するアイテムについての情報管理を行っていることを示している。「ゴルフ」の表示４１１の近傍には、ゴルフ以外のカテゴリの表示を行わせるための「変更」アイコン４１２が表示されている。また、表示画面４００は、アイテムのリスト４２０を含んでいる。図４に示す例では、アイテムのリスト４２０は、「ドライバー」の表示４３０と、「７番アイアン」の表示４４２と、「８番アイアン」の表示４４４とを含む。アイテムのリスト４２０の近傍には、アイテムを登録するための「登録」アイコン４２２が表示されている。図４に示す例では、リスト４２０のうち、「７番アイアン」の表示が強調されている。これは、「７番アイアン」が現在選択されているアイテムであり、現在使用しているアイテムであることを示している。
【００３９】
「ドライバー」の表示４３０、「７番アイアン」の表示４４２、及び「８番アイアン」の表示４４４のそれぞれには、同様の情報が含まれている。ドライバーの表示４３０を例に挙げて説明する。「ドライバー」の表示４３０には、「ドライバー」というアイテムの名称４３１、使用日４３２、打数４３３、飛距離４３４、備考４３５、公開の可否４３６を表す表示が含まれている。公開の可否４３６は、要求があったときに登録されたアイテムに関する情報を出力することで当該情報が情報提示装置１０によって公開されることを許可するか否かの設定を示す。公開の可否は、登録者８１０によって変更され得る。また、「ドライバー」の表示４３０には、上述の内容を入力するための「入力」アイコン４３７が含まれている。
【００４０】
また、表示画面４００は、現在表示されているアイテムよりも前に登録されたアイテムをリスト４２０に表示させるための「前へ」アイコン４５２と、現在表示されているアイテムの次に登録されたアイテムをリスト４２０に表示させるための「次へ」アイコン４５４と、リスト４２０に含まれる情報を出力するための「出力」アイコン４５６とを含む。
【００４１】
図３に戻って説明を続ける。ステップＳ１０４において、情報端末２０は、操作に係る入力がされたか否かを判定する。この入力は、例えば登録者８１０による表示画面４００に含まれる各種アイコンへのタッチによって行われる。操作に係る入力がないと判定されたとき、処理はステップＳ１０６に進む。一方、操作に係る入力がされたとき、処理はステップＳ１０５に進む。ステップＳ１０５において、情報端末２０は、入力された操作に応じた各種処理を行う。
【００４２】
例えば、「変更」アイコン４１２がタッチされたとき、アイテム管理が行われているアイテムのカテゴリが変更される。例えば図４に示すような「ゴルフ」に関するアイテム管理から、「ジョギング」、「野球」等の異なる競技等にカテゴリが変更される。例えば「登録」アイコン４２２がタッチされたとき、アイテムの登録が行われる。例えばアイテムとしてパター、サンドウェッジ等を追加する処理が行われる。
【００４３】
例えば、「入力」アイコン４３７がタッチされたとき、リスト４２０に含まれる各種データの入力が行われる。例えば、練習の結果として、打数、飛距離、備考等の入力が行われ得る。また、公開の可否が変更され得る。
【００４４】
また、「前へ」アイコン４５２がタッチされることで、アイテムのリスト４２０について、前にリストアップされているアイテムの表示が行われる。「後へ」アイコン４５４がタッチされることで、アイテムのリスト４２０について、後にリストアップされているアイテムの表示が行われる。また、「出力」アイコン４５６がタッチされることで、管理されている各種情報が出力される。例えば管理情報は、メールで送信されてもよいし、プリンタに出力されてもよいし、ファイルが作成されてもよい。
【００４５】
本実施形態の情報提示システム１は、登録者８１０が現在身に着けている又は使用しているアイテムの情報を使用する。このため、本実施形態に係るアイテム管理アプリでは、現在使用等しているアイテムが選択されるようになっている。例えばアイテム管理アプリは各種操作の最後に登録者８１０に現在使用等しているアイテムを問い合せ、現在使用等しているアイテムの入力を登録者８１０に促すように構成されていてもよい。また、例えばアイテム管理アプリは、「入力」アイコン４３７がタッチされて入力操作がなされると、最後に情報が入力されたアイテムが現在使用等しているアイテムとして選択されるように構成されてもよい。選択された現在使用等しているアイテムは、表示画面において、例えば図４の例の「７番アイアン」のように強調表示される。
【００４６】
ステップＳ１０５の処理の後、処理はステップＳ１０６に進む。ステップＳ１０６において、情報端末２０は、制御装置１１０からアイテムに関する情報の要求があるか否かを判定する。情報の要求がないとき、処理はステップＳ１０８に進む。一方、情報の要求があるとき、処理はステップＳ１０７に進む。ステップＳ１０７において、情報端末２０は、要求されたアイテムの情報を制御装置１１０へと送信する。例えば、公開が許可されているとき、現在選択されているアイテムを特定するための情報が送信される。現在選択されているアイテムに限らず、登録されており、公開が許可されている全てのアイテムを特定するための情報が送信されてもよい。その後、処理はステップＳ１０８に進む。
【００４７】
ステップＳ１０８において、情報端末２０は、アイテム管理機能の終了が選択されたか否かを判定する。アイテム管理機能の終了が選択されていないとき、処理はステップＳ１０３に戻り、ステップＳ１０３乃至ステップＳ１０８の処理が繰り返される。一方、アイテム管理機能の終了が選択されたとき、処理はステップＳ１０１に戻り、ステップＳ１０１乃至ステップＳ１０８の処理が繰り返される。
【００４８】
以上のように情報端末２０は、アイテム管理機能を発揮しているとき、登録者８１０の操作に応じた情報の入力が行われ、また、制御装置１１０からの要求に応じて情報を制御装置１１０へと送信する。アイテム管理機能により、登録者８１０は、自身が有するアイテムについて情報管理を行うことができる。
【００４９】
［情報提示装置の動作］
次に、制御装置１１０で行われる処理について、図５に示すフローチャートを参照して説明する。
【００５０】
ステップＳ２０１において、制御装置１１０は、制御装置１１０の周辺に存在する情報端末２０のうち、公開が許可されているアイテムの情報が登録されている情報端末２０を探索する。例えば、制御装置１１０は、Ｗｉ−Ｆｉ又はＢｌｕｅｔｏｏｔｈ等といった短距離無線通信技術を利用して、情報端末２０と通信を行う。制御装置１１０は、アイテム管理アプリを利用して、情報端末２０のアイテム管理アプリに登録されている情報のうち必要な情報を取得する。制御装置１１０は、特に、現在選択されているアイテムであって、公開が許可されているアイテムについての情報を取得する。
【００５１】
制御装置１１０は、情報提示装置１０からの距離が所定の範囲内にある情報端末２０のみを通信を行う対象としてもよい。ここで範囲を特定する際の基準位置は、情報提示装置１０に係るどの点でもよい。これに限定されないが、例えば情報を提示する出力装置１５０の位置等は所定の範囲の中心点として、基準位置になり得る。比較的近距離の範囲に存在する情報端末２０のみを対象とすることで、制御装置１１０は処理量を減らすことができる。例えば出力装置１５０から遠い位置にいる登録者８１０がいるとき、視聴者８２０は登録者８１０と出力装置１５０とを同時に見ることができないので、遠い位置にいる登録者８１０を処理の対象外としてもよい。
【００５２】
ステップＳ２０２において、制御装置１１０は、公開が許可されているアイテムの情報が登録された情報端末２０を発見したか否かを判定する。情報端末２０を発見していないとき、処理はステップＳ２０４に進む。一方、情報端末２０を発見したとき、処理はステップＳ２０３に進む。
【００５３】
ステップＳ２０３において、制御装置１１０は、情報端末２０から登録に係る情報を読み込む。すなわち、制御装置１１０は、情報端末２０に情報を要求し、これに応じて図３に示したステップＳ１０７の処理で送信された情報を取得する。その後、処理はステップＳ２０４に進む。この処理によって、制御装置１１０は、制御装置１１０の周辺に存在する情報端末２０と現在選択されている登録されたアイテム又は登録された全アイテムとの組み合わせに関する情報を取得することができる。制御装置１１０の周辺に存在する情報端末２０が複数であるとき、このような組み合わせが複数取得されることになる。
【００５４】
ステップＳ２０４において、制御装置１１０は、アイテムに関する情報を取得した情報端末２０の位置を取得する。本実施形態に係る情報提示システム１では、登録者８１０が情報端末２０を携帯していることを前提として、情報端末２０に登録されたアイテムの情報と登録されたアイテムが実際に存在する位置とが、情報端末２０の位置を用いて関連付けられる。情報端末２０の位置は、例えばビーコン、ｉＢｅａｃｏｎ（登録商標）といったＢｌｕｅｔｏｏｔｈ  Ｌｏｗ  Ｅｎｅｒｇｙを用いた技術、Ｗｉ−Ｆｉ等を利用して取得され得る。情報端末２０を有する登録者８１０の位置は人感センサーを利用して検出されてもよい。また、情報端末２０がＧＰＳ等を利用して取得した位置情報を情報端末２０が制御装置１１０へと送信してもよい。
【００５５】
制御装置１１０は、情報提示装置１０からの距離が所定の範囲よりも遠い情報端末２０を対象外情報端末とし、この対象外情報端末から取得したアイテムに関する情報は、記録領域から削除してもよいし、情報提示の対象外としてもよい。ここで範囲を特定する際の基準位置は、情報提示装置１０に係るどの点でもよい。情報提示装置１０から情報端末２０が遠ざかった場合、制御装置１１０の近くから該情報端末を持つ登録者８１０が離れたと判断できるため、情報提示の対象外として判定することができる。また、登録者８１０の個人情報が保護される。また、例えば出力装置１５０から遠い位置にいる登録者８１０がいるとき、視聴者８２０は登録者８１０と出力装置１５０とを同時に見ることができないので、遠い位置にいる登録者８１０を処理の対象外としてもよい。
【００５６】
ステップＳ２０５において、制御装置１１０は、行動取得装置１６０から、検出された視聴者８２０の視線に係る情報を取得する。ステップＳ２０６において、制御装置１１０は、視聴者８２０の視線と、登録情報を取得した情報端末２０を保持する登録者８１０の有するアイテムとの位置関係を解析し、視線がアイテムに向いているか否かを判定する。視線がアイテムに向いていないとき、処理はステップＳ２０１に戻り、上述の処理が繰り返される。一方、視線がアイテムに向いているとき、処理はステップＳ２０７に進む。
【００５７】
ステップＳ２０７において、アイテム決定部１２３は、視聴者８２０の視線の先にあるアイテムを関心アイテムとして決定する。関心アイテムを決定した後、ステップＳ２０８に進む。
【００５８】
ステップＳ２０８において、制御装置１１０は、アイテム決定部１２３が決定した関心アイテムに関する情報を出力装置１５０に出力させる。例えば、制御装置１１０の記憶装置１４２には、アイテムごとに、アイテムの画像、メーカー、型番、性能等の情報が記録されている。制御装置１１０は、ステップＳ２０３で読み込んだアイテムを特定するための情報と制御装置１１０の記憶装置１４２に保存された情報とに基づいて、例えば、当該アイテムの画像、メーカー、型番、性能等の情報を取得し、その情報を出力装置１５０のディスプレイ１５１に表示させる。アイテムに関する情報は、記憶装置１４２に記憶されていなくてもよく、例えば、情報端末２０から取得されてもよいし、インターネット等のネットワークを介して情報提示装置１０の外部から取得されてもよい。出力装置１５０から出力される内容は特に限定されない。出力内容は、アイテムのメーカーが作成した広告コンテンツ等であってもよい。
【００５９】
また、出力装置１５０によって提示されるアイテムの情報の態様は、出力装置１５０と情報端末２０との位置関係によって変更されてもよい。例えば、出力装置１５０と情報端末２０とが近い程、大きく表示されたり、情報端末２０の位置が出力装置１５０の正面に近い程、大きく表示されたりしてもよい。出力装置１５０と情報端末２０との位置関係によって表示態様が変更されることで、情報提示にめりはりがでる。
【００６０】
出力装置１５０から出力されるのは、視聴者８２０が関心を示したアイテムに関する情報に限らない。公開が許可されている登録されたアイテムに関する情報が無作為に出力されており、視聴者８２０の関心が検出されたときのみ、その関心に係るアイテムに関する情報が出力されてもよい。また、制御装置１１０は、特定の情報端末２０から取得した複数のアイテムに関する情報をディスプレイ１５１に一覧表示させ、そのうち関心が検出されたアイテムのみ強調表示されてもよい。また、制御装置１１０は、複数の情報端末２０から取得した複数のアイテムに関する情報をディスプレイに一覧表示させてもよい。そのうち関心が検出されたアイテムのみ強調表示されてもよい。一覧表示によって、視聴者８２０は多くの情報を一度に取得することができる。
【００６１】
視聴者８２０が関心ある登録者８１０のアイテムを注視したとき、出力装置１５０のディスプレイ１５１には、視聴者８２０が注視したアイテムに関する情報が表示される。視聴者８２０は、ディスプレイ１５１に表示された情報を見ることで、関心のあるアイテムの情報を得ることができる。情報収集のために視聴者８２０が練習中の登録者８１０に話しかける等の必要がないため、登録者８１０の練習等が妨げられることもない。視聴者８２０自身も練習をするので、登録者８１０の練習後に話しかけようとしても必ずしも話すタイミングが得られるとは限らない状況において、視聴者８２０はその場で情報を得ることができる。
【００６２】
また、アイテムの製造元又は販売元は、アイテムに関心を有している視聴者８２０に、適切なタイミングで広告を提示することができ、高い宣伝効果を得ることができる。
【００６３】
登録者８１０は、他人に紹介したいアイテムを公開許可の状態でアイテム管理アプリに登録することで、情報提示装置１０によって他人に当該アイテムを示すことができる。登録者８１０は、情報提示システム１を介してアイテムの価値を他人と共有することができる。登録者８１０は、他人に提示したくないアイテムについては、アイテム管理アプリで公開を許可しない設定とすることもできる。
【００６４】
［変形例］
〈システム構成について〉
上述の実施形態では、視聴者８２０の視線の情報は行動取得装置１６０の行動判断回路１６２で取得される例を示した。しかしながらこれに限らない。行動取得装置１６０はカメラ１６１を有しているのみで、カメラ１６１で得られた画像の解析は制御装置１１０で行われてもよい。
【００６５】
また、上述の実施形態では、視聴者８２０の関心を視線に基づいて特定する例を示した。しかしながらこれに限らない。視聴者８２０と登録者８１０との位置関係を解析することで、視聴者の関心が特定されてもよい。また、視聴者８２０がアイテムを指さすなどといった視聴者８２０の行動を解析することで、視聴者の関心が特定されてもよい。また、視聴者８２０が発した興味のあるアイテムを特定する音声を解析することで、視聴者の関心が特定されてもよい。
【００６６】
また、アイテム管理アプリが登録者の情報端末２０にインストールされている場合を例として示したが、例えばクラウドシステム等を用いて、アイテム管理機能はサーバーシステムによって実現されてもよい。この場合、制御装置１１０は、登録者８１０が有する情報端末２０から情報端末２０のＩＤ情報及び位置情報を取得し、アイテム管理機能を実現しているサーバーから登録情報を取得する。このように、アイテムに関する情報は、情報端末２０の外部に保存されてもよい。
【００６７】
出力装置１５０がディスプレイ１５１を有しており、アイテムに関する情報は表示によって視聴者８２０に提示される例を示したが、これに限らず、スピーカー１５２から出力される音声等によって情報が視聴者８２０に提示されてもよい。
【００６８】
また、視聴者８２０が登録者８１０のアイテムに関心を示していることが検出されたとき、その旨が制御装置１１０から情報端末２０へと送信されてもよい。その結果、登録者８１０は、自らのアイテムが注目されたことを知ることができる。
【００６９】
〈アイテムの種類について〉
上述の実施形態では、ゴルフ練習場の場面で、アイテムがゴルフクラブの場合を例に示した。しかしながら、これに限らないのはもちろんである。例えば、ゴルフに関しても、ゴルフクラブに限らず、シューズ、ウェア、グローブ等、登録者が身に着けるものであれば、出力装置１５０に出力される対象になり得る。
【００７０】
例えば、シューズ、ウェア、グローブ及びクラブが登録されている場合、視聴者が関心を持っているのがいずれのアイテムであるのかが特定される必要がある。そこで、各アイテムの情報には、アイテムが身に着けられる位置に係る情報が関連付けられる。例えばシューズであれば足、ウェアであれば胴など、グローブであれば手、クラブであれば手から先といった位置情報がアイテムの情報と関連付けられる。アイテム決定部１２３は、視聴者８２０の視線とこの位置情報とを利用して、視聴者８２０が関心を有しているアイテムを特定する。
【００７１】
また、１人の登録者８１０が複数のアイテムを同時に身に着けているとき、次のようにしてもよい。すなわち、視聴者８２０が興味を示しているアイテムを身に着けている登録者８１０を注目登録者とする。制御装置１１０は、注目登録者の情報端末２０から取得した複数のアイテムの情報を出力装置１５０に一覧表示させる。このようにすると、視聴者８２０は、関心を持ったアイテムをきっかけとして、注目登録者が有するその他のアイテムについての情報も得ることができる。
【００７２】
〈使用場面について〉
アイテムは、ゴルフに係るものに限らない。アイテムは、バッティングセンターにおけるバット、手袋、シューズ等であってもよい。また、アイテムは、ボウリング場におけるボール、シューズ、グローブ、ウェア等であってもよい。また、アイテムは、クライミングジムにおける、シューズ等であってもよい。また、アイテムは、テニスコートにおける、ラケット、シューズ、ウェア等であってもよい。また、アイテムは、トレーニングジム等における、シューズ、ウェア等であってもよい。また、アイテムは、フットサルコートにおけるシューズ、ウェア、ボール等であってもよい。このように、アイテムは、各種スポーツ施設における各種スポーツ用品であり得る。各アイテムに応じて、アイテム管理アプリで管理される情報は適宜に設定され得る。
【００７３】
また、アイテムは、スポーツ用品に限らない。アイテムは、様々な場面における、服、バッグ、アクセサリなど、登録者８１０が身に着ける種々のものであり得る。登録者がアイテム管理アプリを用いて管理しており身に着けているものの情報が、情報提示システム１によって提示され得る。
【００７４】
いずれの場合も、視聴者は、登録者が身に着けているアイテムに視線を向ける等の興味を示す行動をとったとき、出力装置１５０に当該アイテムに関する情報が提示される。
【００７５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除しても、発明が解決しようとする課題の欄で述べられた課題が解決でき、かつ、発明の効果が得られる場合には、この構成要素が削除された構成も発明として抽出され得る。
【００７６】
以下に、本願出願の当初の特許請求の範囲に記載された発明を付記する。  
［１］
ユーザーが有する情報端末から当該情報端末に記憶された前記ユーザーが有するアイテムに関するアイテム情報を取得するアイテム情報取得部と、
前記アイテムに対する関心に係る他者の行動についての情報を取得する行動取得部と、
前記他者の前記行動に基づいて、前記他者が関心を有する前記アイテムを関心アイテムとして決定するアイテム決定部と、
前記関心アイテムに基づいて出力装置に情報を提示させる出力制御部と
を備える出力制御装置。
［２］
前記アイテム情報取得部は、所定の範囲内にある前記情報端末から、前記アイテム情報を取得する、［１］に記載の出力制御装置。
［３］
前記アイテム情報取得部は、前記アイテム情報を取得した前記情報端末のうち、前記所定の範囲から外れた前記情報端末を対象外情報端末として特定し、
前記出力制御部は、前記対象外情報端末から取得した前記アイテム情報を前記出力装置に提示させない、
［２］に記載の出力制御装置。
［４］
前記出力制御部は、前記出力装置に前記アイテム情報を一覧表示させる、［１］乃至［３］のうち何れか一に記載の出力制御装置。
［５］
前記行動取得部は、前記他者が関心を有する少なくとも１つの前記アイテムを特定する前記他者の前記行動として、前記他者の視線を取得する、［１］乃至［４］のうち何れか一に記載の出力制御装置。
［６］
前記行動取得部は、前記ユーザーに対する関心に係る前記他者の行動についての情報を取得し、
前記アイテム決定部は、前記ユーザーを注目ユーザーとして特定し、前記注目ユーザーの前記情報端末から取得した複数の前記アイテムを前記関心アイテムとし、
前記出力制御部は、複数の前記アイテムに係る前記アイテム情報に基づいて前記出力装置に情報を提示させる、
［１］乃至［５］のうち何れか一に記載の出力制御装置。
［７］
前記アイテム情報取得部は、前記出力装置と前記情報端末との位置関係に関する位置情報を取得し、
前記出力制御部は、前記出力装置に、前記位置情報に応じた態様で前記アイテム情報に基づく情報を前記出力装置に提示させる、
［１］乃至［６］のうち何れか一に記載の出力制御装置。
［８］
前記関心アイテムが決定されたとき、当該関心アイテムに関する前記アイテム情報が記録された前記情報端末に、前記関心アイテムが決定された旨を送信する通信制御部をさらに備える［１］乃至［７］のうち何れか一に記載の出力制御装置。
［９］
［１］乃至［８］のうち何れか一に記載の出力制御装置と、
前記出力装置と、
前記他者の前記行動を取得する行動取得装置と
を備える情報提示装置。
［１０］
ユーザーが有するアイテムに関するアイテム情報を入力するための入力部と、
前記アイテム情報が記録される記憶部と、
他者の行動に基づいて前記アイテムに対する関心を特定して当該アイテムに関する情報を提示する情報提示装置からの要求に応じて前記アイテム情報を前記情報提示装置に送信する通信部と
を備える情報端末。
［１１］
情報端末と記憶装置と情報提示装置とを備える情報提示システムであって、
前記情報端末は、ユーザーが有するアイテムに関するアイテム情報を入力するための入力部を備え、
前記記憶装置は、前記アイテム情報を保持し、
前記情報提示装置は、
情報を提示する出力部と、
他者の行動を取得する行動取得部と、
前記記憶装置から前記アイテム情報を取得するアイテム情報取得部と、
前記アイテムに対する関心に係る前記他者の行動についての情報を前記行動取得部から取得する行動取得部と、
前記他者の前記行動に基づいて、前記他者が関心を有する前記アイテムを関心アイテムとして決定するアイテム決定部と、
前記関心アイテムに基づいて前記出力部に情報を提示させる出力制御部と
を備える、
情報提示システム。
［１２］
ユーザーが有する情報端末から前記情報端末に記憶された前記ユーザーが有するアイテムに関するアイテム情報を取得する工程と、
前記アイテムに対する関心に係る他者の行動についての情報を取得する工程と、
前記他者の前記行動に基づいて、前記他者が関心を有する前記アイテムを関心アイテムとして決定する工程と、
前記関心アイテムに基づいて出力装置に情報を提示させる工程と、
を含む出力制御方法。
［１３］
ユーザーが有する情報端末から前記情報端末に記憶された前記ユーザーが有するアイテムに関するアイテム情報を取得することと、
前記アイテムに対する関心に係る他者の行動についての情報を取得することと、
前記他者の前記行動に基づいて、前記他者が関心を有する前記アイテムを関心アイテムとして決定することと、
前記関心アイテムに基づいて出力装置に情報を提示させることと
をコンピュータに実行させる出力制御プログラム。
［１４］
入力部を用いてユーザーが有するアイテムに関するアイテム情報の入力を取得することと、
記憶部に前記アイテム情報を記録することと、
通信部を用いて、他者の行動に基づいて前記アイテムに対する関心を特定して当該アイテムに関する情報を提示する情報提示装置からの要求に応じて前記アイテム情報を前記情報提示装置に送信することと
を含む情報端末の制御方法。
［１５］
入力部を用いてユーザーが有するアイテムに関するアイテム情報の入力を取得することと、
記憶部に前記アイテム情報を記録することと、
通信部を用いて、他者の行動に基づいて前記アイテムに対する関心を特定して当該アイテムに関する情報を提示する情報提示装置からの要求に応じて前記アイテム情報を前記情報提示装置に送信することと
をコンピュータに実行させる情報端末の制御プログラム。
【符号の説明】
【００７７】
１…情報提示システム、１０…情報提示装置、２０…情報端末、２１…演算回路、２２…記憶装置、２３…表示装置、２４…入力装置、２５…通信装置、１１０…制御装置、１１２…演算回路、１２１…アイテム情報取得部、１２２…行動取得部、１２３…アイテム決定部、１２４…出力制御部、１２５…通信制御部、１４２…記憶装置、１４４…入力装置、１４６…通信装置、１５０…出力装置、１５１…ディスプレイ、１５２…スピーカー、１６０…行動取得装置、１６１…カメラ、１６２…行動判断回路。
【図１】
2018049409.tif 000003
【図２】
2018049409.tif 000004
【図３】
2018049409.tif 000005
【図４】
2018049409.tif 000006
【図５】
2018049409.tif 000007